(57)【要約】      （修正有）【課題】焼き物を調理する場合、すみを使用すると、ガスを使用する場合に比較して、美味しいと云われている。しかし、すみを使用すると、火力が強の状態か弱の状態かのいずれかになりやすく、一定の火力、熱を保持することが困難であるなどの問題を解決する。【解決手段】テーブルの天板に開口した開口部に位置する焼網７と、焼網７に対して昇降調整自在に支持された七輪と、煙を排出する排気ダクト部９と、集合排気ダクト１１からなると共に、集合排気ダクト１１に排気ダクト部９を連結した。【選択図】        図１
2004254834.tif 000002
【特許請求の範囲】
【請求項１】
テーブルの天板に開口した開口部に位置する焼網と、焼網に対して昇降調整自在に支持された七輪と、煙を排出する排気ダクト部と、床面に埋め込んだ状態で配設された集合排気ダクトからなると共に、集合排気ダクトに排気ダクト部を連結したことを特徴とする焼き物装置。
【請求項２】
支持筒部（２）と、排気室部（３）と、七輪支持部（４）と、七輪（５）と、焼網受け兼排気口部（６）と、焼網（７）と、排気室用蓋（８）と、排気ダクト部（９）と、給気口部（１０）と、集合排気ダクト（１１）と、テーブルの天板（１２）から構成され、
支持筒部（２）は、底板（２Ａ）と、底板の上面に上方に向け連設された円筒状の縦筒（２Ｂ）と、縦筒（２Ｂ）内において所定高さの位置に張設された水平な仕切板（２Ｃ）から構成され、
排気室部（３）は、排気室（３Ａ）と排気口（３Ｂ）と排気整流板（３Ｃ）で構成され、排気室（３Ａ）は、支持筒部（２）の外壁の上方位置に取付けられた水平な輪板（３Ａ１）と、輪板の外周辺に支持筒部（２）の上端より少し上方に突出する状態で連設された縦筒（３Ａ２）から構成され、排気口（３Ｂ）は、排気室（３Ａ）の水平な輪板（３Ａ１）における前方と後方に開設されている前方排気口体（３Ｂ１）と後方排気口体（３Ｂ２）から構成され、排気整流板（３Ｃ）は、排気室（３Ａ）の左半分に位置する左の排気整流板体（３Ｃ１）と、排気室（３Ａ）の右半分に位置する右の排気整流板体（３Ｃ２）から構成され、左の排気整流板体（３Ｃ１）は、排気室（３Ａ）の左半分に流入した煙を、前方排気口体（３Ｂ１）と後方排気口体（３Ｂ２）の方向に誘導するよう構成され、右の排気整流板体（３Ｃ２）は、排気室（３Ａ）の右半分に流入した煙を、前方排気口体（３Ｂ１）と後方排気口体（３Ｂ２）の方向に誘導するよう構成され、
七輪支持部（４）は、電動シリンダ（４Ａ）と七輪受け（４Ｂ）で構成され、電動シリンダ（４Ａ）は、支持筒部（２）の底板（２Ａ）における中心に上下方向に作用する状態で起立され、七輪受け（４Ｂ）は、平面円形に構成された所定寸法の底板（４Ｂ１）の周囲に円筒体（４Ｂ２）が連設され、円筒体には七輪（５）における給気口（５Ｃ）と連通する給気口（４Ｂ３）が開設され、
七輪（５）は、七輪受け（４Ｂ）に上方から着脱自在に装着され、
焼網受け兼排気口部（６）は、七輪（５）の側壁（５Ｂ）の上面に対して略円錐台状に構成された円輪（６Ａ）と、円輪（６Ａ）の上端に外方に向け連設された水平な段（６Ｂ）と、この段に垂直状態で連設された短円筒（６Ｄ）と、短円筒に開設された小排気口（６Ｄ１）から構成され、
焼網（７）は、平面円形の金網で構成され、焼網受け兼排気口部（６）の水平な段（６Ｂ）に取付け取外し自在に載置され、
排気室用蓋（８）は、平面リング状の板（８Ａ）で構成され、排気室（３Ａ）の上面を塞ぐ状態で取付け取外し自在に載置され、
排気ダクト部（９）は、上方ダクト（９Ａ）と排気ファン（９Ｂ）と下方ダクト（９Ｃ）で構成され、上方ダクト（９Ａ）は、前方の上ダクト（９Ａ１）と後方の上ダクト（９Ａ２）から構成され、前方の上ダクト（９Ａ１）の上端は排気室部（３）の前方排気口体（３Ｂ１）に連結され、後方の上ダクト（９Ａ２）の上端は排気室部（３）の後方排気口体（３Ｂ２）に連結され、前方の上ダクト（９Ａ１）の下端と後方の上ダクト（９Ａ２）の下端は、排気ファン（９Ｂ）に連結され、排気ファン（９Ｂ）には下方ダクト（９Ｃ）が連結され、
給気口部（１０）は、左右の給気口（１０Ａ、１０Ｂ）で構成され、左の給気口（１０Ａ）は、支持筒部（２）の縦筒（２Ｂ）における左方部分に取付けられ、右の給気口（１０Ｂ）は、支持筒部（２）の縦筒（２Ｂ）における右方部分に取付けられ、
集合排気ダクト（１１）は外気に連通するよう床面に埋め込んだ状態で配設され、この集合排気ダクト（１１）に開設された穴（１１Ａ）に排気ダクト部（９）の下方ダクト（９Ｃ）が連結され、
テーブルの天板（１２）は所定面積を有する天板体（１２Ａ）と、天板体の所定位置に開設された排気室（３Ａ）の縦筒（３Ａ２）に対応する面積を有する開口部（１２Ｂ）から構成され、排気室（３Ａ）の縦筒（３Ａ２）に連結支持されていることを特徴とする焼き物装置。
【請求項３】
七輪（５）の側壁（５Ｂ）における上方部分（５Ｂ１）は、支持筒部（２）の縦筒（２Ｂ）の内周面に接近するよう構成されている請求項２記載の焼き物装置。
【請求項４】
請求項２または請求項３記載の焼き物装置において、七輪を焼網に対して昇降調整すると共に、給気量を調整するよう構成されていることを特徴とする焼き物装置の使用方法。
【請求項５】
テーブルの天板に開口した開口部に位置する焼網と、焼網に対して昇降調整自在に支持された七輪と、煙を排出する排気ダクト部と、床面に埋め込んだ状態で配設された集合排気ダクトからなり、集合排気ダクトに所定間隔で着脱自在の蓋を有するダクト連結用穴が設けられ、所望するダクト連結用穴に排気ダクト部を連結するよう構成されていることを特徴とする焼き物装置。
【請求項６】
第１種支持筒部（１４）と、排気室部（３）と、七輪支持部（４）と、七輪（５）と、焼網受け兼排気口部（６）と、焼網（７）と、排気室用蓋（８）と、排気ダクト部（９）と、給気口部（１０）と、第１種集合排気ダクト（１５）と、テーブルの天板（１２）から構成され、
排気室部（３）と、七輪支持部（４）と、七輪（５）と、焼網受け兼排気口部（６）と、焼網（７）と、排気室用蓋（８）と、排気ダクト部（９）と、給気口部（１０）と、テーブルの天板（１２）は、請求項２または請求項３記載の焼き物装置における排気室部（３）と、七輪支持部（４）と、七輪（５）と、焼網受け兼排気口部（６）と、焼網（７）と、排気室用蓋（８）と、排気ダクト部（９）と、給気口部（１０）と、テーブルの天板（１２）と同一の構造に構成され、
第１種支持筒部（１４）は、底板（２Ａ）と、底板の上面に上方に向け連設された円筒状の縦筒（２Ｂ）と、縦筒（２Ｂ）内において所定高さの位置に張設された水平な仕切板（２Ｃ）から構成されていると共に、底板（２Ａ）の周囲には下方に作用するボルト（１４Ａ）が螺合され、
第１種集合排気ダクト（１５）は、外気に連通するよう床面に埋め込んだ状態で配設され、この第１種集合排気ダクトの上面には所定間隔をもってダクト連結用穴（１５Ａ）が開設され、ダクト連結用穴（１５Ａ）には蓋（１５Ａ１）が着脱自在に取付けられ、連結を所望するダクト連結用穴の蓋を取り排気ダクト部（９）の下方ダクト（９Ｃ）を着脱自在に連結するよう構成され、床面（１５Ｂ）には各ダクト連結用穴に対応する状態で第１種支持筒部（１４）のボルト（１４Ａ）が螺合するナット（１５Ｂ１）が配設されていることを特徴とする焼き物装置。
【請求項７】
請求項６記載の焼き物装置において、当該焼き物装置の移動を所望する場合、ボルト（１４Ａ）を取外し、ダクト連結用穴（１５Ａ）から排気ダクト部（９）の下方ダクト（９Ｃ）を引抜き、引抜かれたダクト連結用穴（１５Ａ）に蓋（１５Ａ１）をし、ついで、所望する移動位置にあるダクト連結用穴（１５Ａ）の蓋（１５Ａ１）を取外し、このダクト連結用穴に排気ダクト部（９）の下方ダクト（９Ｃ）を嵌め込んだのち、ボルト（１４Ａ）により焼き物装置を固定することを特徴とする焼き物装置の使用方法。
【発明の詳細な説明】
【０００１】
【発明の属する技術分野】
本発明は、新規な構成を有するすみを燃料とする焼き物装置と焼き物装置の使用方法に関するものである。
詳しくは、食肉のほか魚介類、野菜などを処理するのに好適なものである。
【０００２】
【従来の技術】
従来のすみを使用する焼き物装置は、下記のような構成となっている。
焼き物を調理する場合、すみを使用する場合の方がガスを使用する場合に比較して、美味しいと云われている。
これはすみを使用すると、調理される材料が内部から煮えるように焼けるので旨味が逃げないのに対して、ガスを使用すると、材料の表面を焼くことになるので旨味が逃げてしまうからであると云われている。
そして、すみを使用する焼き物装置としては、広く七輪が使用されている。
【０００３】
【発明が解決しようとする課題】
従来の技術で述べたものにあっては、下記のような問題点を有していた。
すみを使用する焼き物装置は、火力が強の状態か弱の状態かのいずれかになりやすく、一定の火力、熱を保持することが困難である。
この点、職人は調理中、すみ火に水を噴霧したり炭を増減したりして火力を調整しているが、素人にはかかる操作ができず、客が自ら調理して食する所謂焼き肉屋では失敗する例が多い。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
すなわち、
請求項１記載の発明は、テーブルの天板に開口した開口部に位置する焼網と、焼網に対して昇降調整自在に支持された七輪と、煙を排出する排気ダクト部と、床面に埋め込んだ状態で配設された集合排気ダクトからなると共に、集合排気ダクトに排気ダクト部を連結したことを特徴とするものである。
【０００６】
請求項２記載の発明は、支持筒部２と、排気室部３と、七輪支持部４と、七輪５と、焼網受け兼排気口部６と、焼網７と、排気室用蓋８と、排気ダクト部９と、給気口部１０と、集合排気ダクト１１と、テーブルの天板１２から構成され、
Ａ．支持筒部２は、底板２Ａと、底板の上面に上方に向け連設された円筒状の縦筒２Ｂと、縦筒２Ｂ内において所定高さの位置に張設された水平な仕切板２Ｃから構成され、
Ｂ．排気室部３は、排気室３Ａと排気口３Ｂと排気整流板３Ｃで構成され、排気室３Ａは、支持筒部２の外壁の上方位置に取付けられた水平な輪板３Ａ１と、輪板の外周辺に支持筒部２の上端より少し上方に突出する状態で連設された縦筒３Ａ２から構成され、排気口３Ｂは、排気室３Ａの水平な輪板３Ａ１における前方と後方に開設されている前方排気口体３Ｂ１と後方排気口体３Ｂ２から構成され、排気整流板３Ｃは、排気室３Ａの左半分に位置する左の排気整流板体３Ｃ１と、排気室３Ａの右半分に位置する右の排気整流板体３Ｃ２から構成され、左の排気整流板体３Ｃ１は、排気室３Ａの左半分に流入した煙を、前方排気口体３Ｂ１と後方排気口体３Ｂ２の方向に誘導するよう構成され、右の排気整流板体３Ｃ２は、排気室３Ａの右半分に流入した煙を、前方排気口体３Ｂ１と後方排気口体３Ｂ２の方向に誘導するよう構成され、
Ｃ．七輪支持部４は、電動シリンダ４Ａと七輪受け４Ｂで構成され、電動シリンダ４Ａは、支持筒部２の底板２Ａにおける中心に上下方向に作用する状態で起立され、七輪受け４Ｂは、平面円形に構成された所定寸法の底板４Ｂ１の周囲に円筒体４Ｂ２が連設され、円筒体には七輪５における給気口５Ｃと連通する給気口４Ｂ３が開設され、
Ｄ．七輪５は、七輪受け４Ｂに上方から着脱自在に装着され、
Ｅ．焼網受け兼排気口部６は、七輪５の側壁５Ｂの上面に対して略円錐台状に構成された円輪６Ａと、円輪６Ａの上端に外方に向け連設された水平な段６Ｂと、この段に垂直状態で連設された短円筒６Ｄと、短円筒に開設された小排気口６Ｄ１から構成され、
Ｆ．焼網７は、平面円形の金網で構成され、焼網受け兼排気口部６の水平な段６Ｂに取付け取外し自在に載置され、
Ｇ．排気室用蓋８は、平面リング状の板８Ａで構成され、排気室３Ａの上面を塞ぐ状態で取付け取外し自在に載置され、
Ｈ．排気ダクト部９は、上方ダクト９Ａと排気ファン９Ｂと下方ダクト９Ｃで構成され、上方ダクト９Ａは、前方の上ダクト９Ａ１と後方の上ダクト９Ａ２から構成され、前方の上ダクト９Ａ１の上端は排気室部３の前方排気口体３Ｂ１に連結され、後方の上ダクト９Ａ２の上端は排気室部３の後方排気口体３Ｂ２に連結され、前方の上ダクト９Ａ１の下端と後方の上ダクト９Ａ２の下端は、排気ファン９Ｂに連結され、排気ファン９Ｂには下方ダクト９Ｃが連結され、
Ｉ．給気口部１０は、左右の給気口１０Ａ、１０Ｂで構成され、左の給気口１０Ａは、支持筒部２の縦筒２Ｂにおける左方部分に取付けられ、右の給気口１０Ｂは、支持筒部２の縦筒２Ｂにおける右方部分に取付けられ、
Ｊ．集合排気ダクト１１は外気に連通するよう床面に埋め込んだ状態で配設され、この集合排気ダクト１１に開設された穴１１Ａに排気ダクト部９の下方ダクト９Ｃが連結され、
Ｋ．テーブルの天板１２は所定面積を有する天板体１２Ａと、天板体の所定位置に開設された排気室３Ａの縦筒３Ａ２に対応する面積を有する開口部１２Ｂから構成され、排気室３Ａの縦筒３Ａ２に連結支持されていることを特徴とするものである。
【０００７】
請求項３記載の発明は、請求項２記載の発明において、七輪５の側壁５Ｂにおける上方部分５Ｂ１は、支持筒部２の縦筒２Ｂの内周面に接近するよう構成されていることを特徴とするものである。
【０００８】
請求項４記載の発明は、請求項２または請求項３記載の発明において、七輪を焼網に対して昇降調整すると共に、給気量を調整するよう構成されていることを特徴とするものである。
【０００９】
請求項５記載の発明は、テーブルの天板に開口した開口部に位置する焼網と、焼網に対して昇降調整自在に支持された七輪と、煙を排出する排気ダクト部と、床面に埋め込んだ状態で配設された集合排気ダクトからなり、集合排気ダクトに所定間隔で着脱自在の蓋を有するダクト連結用穴が設けられ、所望するダクト連結用穴に排気ダクト部を連結するよう構成されていることを特徴とするものである。
【００１０】
請求項６記載の発明は、第１種支持筒部１４と、排気室部３と、七輪支持部４と、七輪５と、焼網受け兼排気口部６と、焼網７と、排気室用蓋８と、排気ダクト部９と、給気口部１０と、第１種集合排気ダクト１５と、テーブルの天板１２から構成され、
Ａ．排気室部３と、七輪支持部４と、七輪５と、焼網受け兼排気口部６と、焼網７と、排気室用蓋８と、排気ダクト部９と、給気口部１０と、テーブルの天板１２は、請求項２または請求項３記載の発明における排気室部３と、七輪支持部４と、七輪５と、焼網受け兼排気口部６と、焼網７と、排気室用蓋８と、排気ダクト部９と、給気口部１０と、テーブルの天板１２と同一の構造に構成され、
Ｂ．第１種支持筒部１４は、底板２Ａと底板の上面に上方に向け連設された円筒状の縦筒２Ｂと、縦筒２Ｂ内において所定高さの位置に張設された水平な仕切板２Ｃから構成されていると共に、底板２Ａの周囲には下方に作用するボルト１４Ａが螺合され、
Ｃ．第１種集合排気ダクト１５は、外気に連通するよう床面に埋め込んだ状態で配設され、この第１種集合排気ダクトの上面には所定間隔をもってダクト連結用穴１５Ａが開設され、ダクト連結用穴１５Ａには蓋１５Ａ１が着脱自在に取付けられ、連結を所望するダクト連結用穴の蓋を取り排気ダクト部９の下方ダクト９Ｃを着脱自在に連結するよう構成され、床面１５Ｂには各ダクト連結用穴に対応する状態で第１種支持筒部１４のボルト１４Ａが螺合するナット１５Ｂ１が配設されていることを特徴とするものである。
【００１１】
請求項７記載の発明は、請求項６記載の発明において、焼き物装置の移動を所望する場合、ボルト１４Ａを取外し、ダクト連結用穴１５Ａから排気ダクト部９の下方ダクト９Ｃを引抜き、引抜かれたダクト連結用穴１５Ａに蓋１５Ａ１をし、ついで、所望する移動位置にあるダクト連結用穴１５Ａの蓋１５Ａ１を取外し、このダクト連結用穴に排気ダクト部９の下方ダクト９Ｃを嵌め込んだのち、ボルト１４Ａにより焼き物装置を固定することを特徴とするものである。
【００１２】
【発明の実施の形態】
以下、本発明の実施の形態を実施例にもとづき図面を参照して説明する。
１は第１発明の焼き物装置である。
その構成は、支持筒部２と、排気室部３と、七輪支持部４と、七輪５と、焼網受け兼排気口部６と、焼網７と、排気室用蓋８と、排気ダクト部９と、給気口部１０と、集合排気ダクト１１と、テーブルの天板１２から構成されている。
【００１３】
Ａ．支持筒部２は、底板２Ａと、底板の上面に上方に向け連設された円筒状の縦筒２Ｂと、縦筒２Ｂ内において所定高さの位置に張設された水平な仕切板２Ｃから構成されている。
【００１４】
Ｂ．排気室部３は、排気室３Ａと排気口３Ｂと排気整流板３Ｃで構成されている。
ａ．排気室３Ａは、支持筒部２の外壁の上方位置に取付けられた水平な輪板３Ａ１と、輪板の外周辺に支持筒部２の上端より少し上方に突出する状態で連設された縦筒３Ａ２から構成されている。
すなわち、排気室３Ａは、支持筒部２の縦筒２Ｂと排気室３Ａの縦筒３Ａ２との間に円筒状に形成されることになる。
ｂ．排気口３Ｂは、排気室３Ａの水平な輪板３Ａ１における前方と後方に開設されている前方排気口体３Ｂ１と後方排気口体３Ｂ２から構成されている。
ｃ．排気整流板３Ｃは、排気室３Ａの左半分に位置する左の排気整流板体３Ｃ１と、排気室３Ａの右半分に位置する右の排気整流板体３Ｃ２から構成されている。
ｃ１．左の排気整流板体３Ｃ１は、排気室３Ａの幅に相当する板を略逆Ｖ字状に折り曲げて構成され、当該左の排気整流板体の頂点３Ｃ１１は、排気室３Ａの左上方に位置し、前後下端３Ｃ１２は前方排気口体３Ｂ１と後方排気口体３Ｂ２の近傍に位置するよう構成されている。
この結果、排気室３Ａの左半分に流入した煙は、前方排気口体３Ｂ１と後方排気口体３Ｂ２の方向に誘導されることになる。
ｃ２．右の排気整流板体３Ｃ２は、排気室３Ａの幅に相当する板を略逆Ｖ字状に折り曲げて構成され、当該右の排気整流板体の頂点３Ｃ２１は、排気室３Ａの右上方に位置し、前後下端３Ｃ２２は前方排気口体３Ｂ１と後方排気口体３Ｂ２の近傍に位置するよう構成されている。
この結果、排気室３Ａの右半分に流入した煙は、前方排気口体３Ｂ１と後方排気口体３Ｂ２の方向に誘導されることになる。
【００１５】
Ｃ．七輪支持部４は、電動シリンダ４Ａと七輪受け４Ｂで構成されている。
ａ．電動シリンダ４Ａは、支持筒部２の底板２Ａにおける中心に上下方向に作用する状態で起立されている。４Ａ１はモータ、４Ａ２は電動シリンダ４Ａを操作する上限下限リミットスイッチである。
ｂ．七輪受け４Ｂは、平面円形に構成された所定寸法の底板４Ｂ１の周囲に円筒体４Ｂ２が連設され、円筒体の左側面と右側面には七輪５における給気口５Ｃと連通する給気口４Ｂ３が開設されている。
Ｄ．七輪５は、公知のものであるが、底５Ａと、この底に連設された略円筒状の側壁５Ｂと、側壁の左下方に開設された給気口５Ｃと、側壁内に給気口より少し上方位置をもって取付けられたロストル５Ｄから構成され、かつ当該七輪５は、七輪受け４Ｂに上方から着脱自在に装着されている。
この場合、七輪５の側壁５Ｂにおける上方部分５Ｂ１は、支持筒部２の縦筒２Ｂの内周面に接近するよう構成されている。
この結果、七輪受け４Ｂは電動シリンダ４Ａの伸縮により支持筒部２の縦筒２Ｂ内で所望する高さに昇降調整できることになる。
【００１６】
Ｅ．焼網受け兼排気口部６は、七輪５の側壁５Ｂの上面に対して略円錐台状に構成された円輪６Ａと、円輪６Ａの上端に外方に向け連設された水平な段６Ｂと、この段に垂直状態で連設された短円筒６Ｄと、短円筒に開設された小排気口６Ｄ１から構成されている。
Ｆ．焼網７は、平面円形の金網で構成され、焼網受け兼排気口部６の水平な段６Ｂに取付け取外し自在に載置されている。
Ｇ．排気室用蓋８は、平面リング状の板８Ａと、この板の下面に突設された排気室３Ａの縦筒３Ａ２に上方から嵌合する突辺８Ｂから構成され、排気室３Ａの上面を塞ぐ状態で取付け取外し自在に載置されている。
【００１７】
Ｈ．排気ダクト部９は、上方ダクト９Ａと排気ファン９Ｂと下方ダクト９Ｃで構成されている。
上方ダクト９Ａは、前方の上ダクト９Ａ１と後方の上ダクト９Ａ２から構成され、前方の上ダクト９Ａ１の上端は排気室部３の前方排気口体３Ｂ１に連結され、後方の上ダクト９Ａ２の上端は排気室部３の後方排気口体３Ｂ２に連結され、前方の上ダクト９Ａ１の下端と後方の上ダクト９Ａ２の下端は、排気ファン９Ｂに連結され、排気ファン９Ｂには下方ダクト９Ｃが連結されている。
【００１８】
Ｉ．給気口部１０は、左右の給気口１０Ａ、１０Ｂで構成されている。
左の給気口１０Ａは、支持筒部２の縦筒２Ｂにおける左方部分に取付けられ、右の給気口１０Ｂは、支持筒部２の縦筒２Ｂにおける右方部分に取付けられ、これら両給気口は、電動シリンダ４Ａの作用により七輪５を上昇させ支持筒部２の縦筒２Ｂにおける最上端に位置させた場合、七輪受け４Ｂの給気口４Ｂ３と七輪５の給気口５Ｃを連通する状態に構成されていると共に、電動シリンダ４Ａの作用により七輪５を降下させ、当該七輪５の側壁５Ｂにおける上方部分５Ｂ１で左右の給気口１０Ａ、１０Ｂを塞ぐことができるよう構成されている。
Ｊ．集合排気ダクト１１は外気に連通するよう床面に埋め込んだ状態で配設され、この集合排気ダクト１１に開設された穴１１Ａに排気ダクト部９の下方ダクト９Ｃが連結されている。
Ｋ．テーブルの天板１２は所定面積を有する天板体１２Ａと、天板体の所定位置に開設された排気室３Ａの縦筒３Ａ２に対応する面積を有する開口部１２Ｂから構成され、排気室３Ａの縦筒３Ａ２に連結支持されている。
図中、Ｍはすみである。
【００１９】
第１発明の焼き物装置１の使用方法は、七輪５を焼網７に対して昇降調整しながら使用する。
【００２０】
１イは第２発明の焼き物装置である。
その構成は、第１種支持筒部１４と、排気室部３と、七輪支持部４と、七輪５と、焼網受け兼排気口部６と、焼網７と、排気室用蓋８と、排気ダクト部９と、給気口部１０と、第１種集合排気ダクト１５と、テーブルの天板１２から構成されている。
【００２１】
Ａ．排気室部３と、七輪支持部４と、七輪５と、焼網受け兼排気口部６と、焼網７と、排気室用蓋８と、排気ダクト部９と、給気口部１０と、テーブルの天板１２は、第１発明の焼き物装置１における排気室部３と、七輪支持部４と、七輪５と、焼網受け兼排気口部６と、焼網７と、排気室用蓋８と、排気ダクト部９と、給気口部１０と、テーブルの天板１２と同一の構造に構成されている。
Ｂ．第１種支持筒部１４は、底板２Ａと底板の上面に上方に向け連設された円筒状の縦筒２Ｂと、縦筒２Ｂ内において所定高さの位置に張設された水平な仕切板２Ｃから構成され、底板２Ａ、縦筒２Ｂ、仕切板２Ｃは、第１発明における底板２Ａ、縦筒２Ｂ、仕切板２Ｃと同一の構造に構成されている。さらに、底板２Ａの周囲には下方に作用するボルト１４Ａが螺合されている。
【００２２】
Ｃ．第１種集合排気ダクト１５は、外気に連通するよう床面に埋め込んだ状態で配設され、この第１種集合排気ダクトの上面には所定間隔をもってダクト連結用穴１５Ａが開設され、ダクト連結用穴１５Ａには蓋１５Ａ１が着脱自在に取付けられ、連結を所望するダクト連結用穴の蓋を取り排気ダクト部９の下方ダクト９Ｃを着脱自在に連結するよう構成されている。
床面１５Ｂには各ダクト連結用穴に対応する状態で第１種支持筒部１４のボルト１４Ａが螺合するナット１５Ｂ１が配設されている。
【００２３】
Ｄ．第２発明の焼き物装置１イの使用方法は、下記の通りである。
焼き物装置１イの移動を所望する場合、ボルト１４Ａを取外し、ダクト連結用穴１５Ａから排気ダクト部９の下方ダクト９Ｃを引抜き、引抜かれたダクト連結用穴１５Ａに蓋１５Ａ１をする。
ついで、所望する移動位置にあるダクト連結用穴１５Ａの蓋１５Ａ１を取外し、このダクト連結用穴に排気ダクト部９の下方ダクト９Ｃを嵌め込んだのち、ボルト１４Ａにより焼き物装置１イを固定する。
【００２４】
【発明の効果】
本発明は、上述の通り構成されているので次に記載する効果を奏する。
１．第１発明について
Ａ．図５のように、七輪内にすみＭを入れ、焼網上に調理される材料を載せ、焼き物を作ることができる。
給気は給気口部１０、七輪５の給気口５Ｃを通じて行われ、排気は焼網受け兼排気口部６、排気室部３、排気ダクト部９を通じて行われる。
Ｂ．電動シリンダ４Ａの伸縮により七輪の高さを調整できるから、調理される材料とすみ火の間隔を調整して一定の火力を保持することができる。
この場合、七輪を下方に降下させて、図１０のごとく、当該七輪の上面に公知の五徳１３を載せ、七輪上にすみを積み上げることができる。
Ｃ．図９のように、給気は給気口部１０を七輪５の側壁５Ｂにおける上方部分５Ｂ１で塞ぎ火力を弱めることができる。
【００２５】
２．第２発明について
Ａ．第１発明で期待できる効果のほかに下記の効果を期待することができる。
図１２のごとく、等間隔で配置された焼き物装置１イを、図１３、１４のごとく、第１種集合排気ダクト１５の長手方向に添って移動させることができる。この結果、使用する人員の増減に確実に対応することができる。
【図面の簡単な説明】
【図１】第１発明の斜視図である。
【図２】同上の１部を切欠いた斜視図である。
【図３】図１の１部を切欠いた斜視図である。
【図４】分解した斜視図である。
【図５】Ａ−Ａ線拡大断面図である。
【図６】同上の１部を省略した断面図である。
【図７】Ｂ−Ｂ線拡大断面図である。
【図８】作用を説明する要部の縦断面図である。
【図９】作用を説明する要部の縦断面図である。
【図１０】作用を説明する要部の縦断面図である。
【図１１】第２発明の斜視図である。
【図１２】通常の使用状態を示す平面図である。
【図１３】焼き物装置の移動中の状態を示す平面図である。
【図１４】焼き物装置の移動後の状態を示す平面図である。
【符号の説明】
１  第１発明の焼き物装置
２  支持筒部
３  排気室部
４  七輪支持部
５  七輪
６  焼網受け兼排気口部
７  焼網
８  排気室用蓋
９  排気ダクト部
１０  給気口部
１１  集合排気ダクト
１２  テーブルの天板
１イ  第２発明の焼き物装置
１４  第１種支持筒部
１５  第１種集合排気ダクト
【図１】
2004254834.tif 000003
【図２】
2004254834.tif 000004
【図３】
2004254834.tif 000005
【図４】
2004254834.tif 000006
【図５】
2004254834.tif 000007
【図６】
2004254834.tif 000008
【図７】
2004254834.tif 000009
【図８】
2004254834.tif 000010
【図９】
2004254834.tif 000011
【図１０】
2004254834.tif 000012
【図１１】
2004254834.tif 000013
【図１２】
2004254834.tif 000014
【図１３】
2004254834.tif 000015
【図１４】
2004254834.tif 000016